(57)【要約】【課題】再帰性反射層を備えた反射型表示装置において、黒浮きや階調反転を抑制して表示特性を向上させる。【解決手段】ある仮想面に沿って２次元的に配列された複数の単位構造を有する再帰性反射層２と、再帰性反射層２の観察者側に配置され、光学特性の異なる第１状態と第２状態との間で状態が切り替えられ得る変調層１とを備え、再帰性反射層２からの反射光を利用して表示を行う反射型表示装置であって、再帰性反射層２の各単位構造は、互いに直交する３面からなる凹部を有し、複数の単位構造はいずれも略同じ向きで配列されており、３面のうちの１面の法線方向の仮想面上における方位角方向と、仮想面における表示の下方向とのなす角度が３０度未満である。【選択図】図１０
2006227282.tif 000002
【特許請求の範囲】
【請求項１】
ある仮想面に沿って２次元的に配列された複数の単位構造を有する再帰性反射層と、
前記再帰性反射層の観察者側に配置され、光学特性の異なる第１状態と第２状態との間で状態が切り替えられ得る変調層と
を備え、
前記再帰性反射層からの反射光を利用して表示を行う反射型表示装置であって、
前記再帰性反射層の各単位構造は、互いに直交する３面からなる凹部を有し、前記複数の単位構造はいずれも略同じ向きで配列されており、
前記３面のうちの１面の法線方向の前記仮想面上における方位角方向と、前記仮想面における前記表示の下方向とのなす角度が３０度未満である、反射型液晶表示装置。
【請求項２】
ある仮想面に沿って２次元的に配列された複数の単位構造を有する再帰性反射層と、
前記再帰性反射層の観察者側に配置され、光学特性の異なる第１状態と第２状態との間で状態が切り替えられ得る変調層と
を備え、
前記再帰性反射層からの反射光を利用して表示を行う反射型表示装置であって、
前記再帰性反射層の各単位構造は、互いに直交する３面からなる凹部を有し、前記複数の単位構造はいずれも略同じ向きで配列されており、
前記仮想面に略垂直に入射する光のうち前記単位構造の２面のみで反射した光は、前記単位構造の形状で規定される複数の特定方向に出射し、
前記特定方向のうちいずれかの前記仮想面上における方位角方向と、前記仮想面における前記表示の上方向とのなす角度が３０度未満である、反射型液晶表示装置。
【請求項３】
前記角度は１０度以下である請求項１に記載の反射型液晶表示装置。
【請求項４】
前記角度は１０度以下である請求項２に記載の反射型液晶表示装置。
【請求項５】
前記単位構造における前記互いに直交する３面はいずれも正方形である請求項１から４のいずれかに記載の反射型液晶表示装置。
【請求項６】
前記変調層の観察者側に設けられた前面基板と、
前記変調層の背面側に設けられ、前記前面基板と対向する背面基板と、
前記前面基板および背面基板の間に設けられ、変調層に電圧を印加するための電圧印加手段とをさらに備え、
前記再帰性反射層は、前記変調層および前記背面基板の間に設置されている請求項１から５のいずれかに記載の反射型液晶表示装置。
【請求項７】
前記変調層の観察者側に設けられた前面基板と、
前記変調層の背面側に設けられ、前記前面基板と対向する背面基板と、
前記前面基板および背面基板の間に設けられ、変調層に電圧を印加するための電圧印加手段とをさらに備え、
前記再帰性反射層は、前記背面基板の背面側に設置されている請求項１から５のいずれかに記載の反射型液晶表示装置。
【請求項８】
前記再帰性反射層と前記背面基板との間に、屈折率が１．０６以上２．７以下の高屈折率層をさらに有し、前記再帰性反射層における前記単位構造の表面は前記高屈折率層と接している請求項７に記載の反射型液晶表示装置。
【請求項９】
前記再帰性反射層と前記背面基板との間に、屈折率が１．０以上１．０６未満の低屈折率層をさらに有し、前記再帰性反射層における前記単位構造の表面は前記低屈折率層と接している請求項７に記載の反射型液晶表示装置。
【発明の詳細な説明】
【技術分野】
【０００１】
本発明は、再帰性反射層を備えた反射型表示装置に関する。
【背景技術】
【０００２】
従来、周囲光を光源として利用することによって表示を行う反射型液晶表示装置が知られている。反射型液晶表示装置は、透過型液晶表示装置とは異なりバックライトを必要としないため、光源用電力の削減が可能であり、より小型のバッテリーを用いることが可能になる。また、バックライトのスペースや重量を節約できるという利点もある。このようなことから、反射型液晶表示装置は、軽量薄型を目的とする機器において好適に用いられている。
【０００３】
反射型液晶表示装置の表示性能を向上させる手段として、散乱型液晶表示モードと再帰性反射板とを組み合わせる手法が、例えば特許文献１〜４に開示されている。
【０００４】
以下、図１（ａ）および（ｂ）を参照しながら、上記手法を用いた表示装置の動作原理を説明する。図１（ａ）および（ｂ）は、それぞれ、表示装置の黒表示状態および白表示状態を説明するための図である。
【０００５】
図１（ａ）に示すように、液晶層１が透過状態に制御されている場合、表示装置外部の光源５からの入射光３は、液晶層１を通過した後、再帰性反射板２により光が入射した方向に反射される（反射光４ｂ）。このため、光源５からの光は観察者６には届かない。この時、表示装置から観察者６に届く像は観察者自身の目であるので、「黒」表示状態が得られる。
【０００６】
他方、図１（ｂ）に示すように、液晶層１が散乱状態に制御されている場合、光源５からの入射光３は液晶層１において散乱される。液晶層１が前方散乱型液晶層の場合、入射光３の大部分は液晶層１で前方に散乱されて再帰性反射板２で反射し、さらに散乱状態の液晶層１を経て観察者６の側に出射する（反射光４ｗ）。液晶層１による散乱によって再帰性反射板２の再帰性が崩されるため、入射した光３は入射方向には戻らない。また、入射光３の一部は、液晶層１によって後方に散乱されて観察者６の側に出射する（図示せず）。この時、観察者６の側に出射された光の一部は観察者６の目に届くので、「白」表示状態となる。この動作原理では、液晶層１の後方散乱だけでなく前方散乱も有効に利用できるため、より明るい「白」表示が得られる。
【０００７】
上記動作原理を用いて表示を行うことにより、偏光素子を使用せずに白黒表示が可能となる。従って、偏光素子を用いることによる光利用効率低下の影響を受けず、高明度の反射型液晶表示装置が実現可能となる。
【０００８】
図１に示す再帰性反射板２としては、微小球アレイ、マイクロレンズアレイおよびコーナーキューブアレイなどの単位構造を２次元的に配列したアレイを用いることができる。このうちコーナーキューブアレイは、互いに直交する３面から構成されるコーナーキューブをある仮想面に沿って２次元的に配列させたアレイである。「仮想面」は、典型的には、表示装置における表示パネル表面に平行な平面である。コーナーキューブに入射した光は、理想的には、そのコーナーキューブを構成する３面で反射し、入射方向と同じ方向に戻される。図２（ａ）および（ｂ）は、それぞれ、コーナーキューブアレイの構成を例示する平面図および斜視図である。図示するコーナーキューブアレイは、互いに直交する正方形の3面から構成されるコーナーキューブが配列されたコーナーキューブアレイ（キュービックコーナーキューブアレイ）である。
【０００９】
コーナーキューブアレイは高い再帰性反射率を有し得るので、コーナーキューブアレイを用いることによって反射型表示装置における表示のコントラストを向上させることできる。コーナーキューブアレイを用いた反射型表示装置において表示のコントラストをさらに高めるために、特許文献３には、微細化されたコーナーキューブからなるコーナーキューブアレイを再帰性反射板として用いることが記載されている。本明細書では、微細化されたコーナーキューブ（配列ピッチ：例えば５ｍｍ以下）からなるコーナーキューブアレイを「ＭＣＣＡ（Ｍｉｃｒｏ  Ｃｏｒｎｅｒ  Ｃｕｂｅ  Ａｒｒａｙ）」と呼ぶ。本明細書では、ＭＣＣＡにおけるコーナーキューブの配列ピッチは、図２（ａ）に示すように、隣接する頂点間の最短距離）Ｐｃｃとする。
【００１０】
次に、再帰性反射板としてＭＣＣＡを用いた反射型表示装置の具体的な構成を説明する。
【００１１】
ＭＣＣＡを用いた反射型表示装置は、例えば、表示パネルにおける観察者と反対側にＭＣＣＡを配置することにより構成できる。このようにＭＣＣＡを表示パネルの外部に配置した構成（以下、「ＭＣＣＡ外付け構造」と呼ぶ）は、例えば特許文献４に開示されている。本明細書では、「表示パネル」とは、対向する２枚の基板の間に、液晶層などの変調層と変調層に電圧を印加するための電圧印加手段とが形成された構成を有するパネルを指す。また、対向する２枚の基板のうち、観察者側に位置する基板を「前面基板」、観察者と反対側に位置する基板を「背面基板」と称することにする。ＭＣＣＡ外付け構造では、ＭＣＣＡは背面基板の背面側に配置される。
【００１２】
また、表示パネルにおける２枚の基板の間にＭＣＣＡを配置する構成（以下、「ＭＣＣＡ内付け構造」と呼ぶ）の反射型表示装置も提案されている。例えば前述の特許文献３は、表示パネルにおける変調層と背面基板との間に再帰性反射板を配置する構成を記載している。
【特許文献１】特開平５−１０７５３８号公報
【特許文献２】特開２０００−１９４９０号公報
【特許文献３】特開２００２−１０７５１９号公報
【特許文献４】特開平１１−１５４１５号公報
【発明の開示】
【発明が解決しようとする課題】
【００１３】
ＭＣＣＡを用いた反射型表示装置では、ＭＣＣＡの形状や面精度、あるいはＭＣＣＡに対する光の入射方向に起因して、黒表示が明るく（灰色に）表示されたり（「黒浮き」）、階調表示時に反転が発生する（「階調反転」）という問題がある。本発明者らは、この問題について詳しく分析したので、図面を参照しながら分析内容を説明する。
【００１４】
以下の説明では、形状の異なるＭＣＣＡ１〜３を例に説明する。図３（ａ）〜（ｃ）は、それぞれ、ＭＣＣＡ１〜３を構成する単位構造（コーナーキューブ）を説明するための上面図である。
【００１５】
図３（ａ）は、ＭＣＣＡ１を構成する１個のコーナーキューブを示している。このコーナーキューブは互いに直交する直角二等辺三角形の３面を有しているが、上面図上では、３つの二等辺三角形からなる正三角形７で表わされる。ＭＣＣＡ１では、このようなコーナーキューブがある仮想面に沿って多数配列されている。図３（ｂ）は、ＭＣＣＡ２を構成する多数のコーナーキューブのうち７個のコーナーキューブを示している。ＭＣＣＡ２を構成する各コーナーキューブは、上面図上において、底点を中心とする正六角形８で表わされる。また、図３（ｃ）は、ＭＣＣＡ３を構成する多数のコーナーキューブのうち６個のコーナーキューブを示している。ＭＣＣＡ３を構成する各コーナーキューブは、上面図上において、底点を中心とする長方形９で表わされる。
【００１６】
まず、ＭＣＣＡを構成する各コーナーキューブが、上面図上において、底点を対称中心とする点対称な形状で表わされない場合について説明する。例えば、図３（ａ）に示すコーナーキューブは、上面図上において正三角形７で表わされるが、正三角形７は点対称な形状ではない。このようなコーナーキューブから構成されるＭＣＣＡでは、ＭＣＣＡに対して垂直に入射する光であっても、コーナーキューブにおける入射位置によっては、コーナーキューブを構成する３面で反射されない。なお、ＭＣＣＡは、上述したように、ある仮想面に沿って２次元的に配列されたコーナーキューブを有しているため、本明細書では、「ＭＣＣＡ（コーナーキューブアレイ）に対して垂直」とは、ＭＣＣＡにおける仮想面に対して垂直であることを意味するものとする。一般的には、ＭＣＣＡに対して垂直であれば、表示装置における表示パネル表面に対して垂直となる。
【００１７】
図３（ａ）に示すように、ＭＣＣＡ１に対して垂直に位置ａに入射した光は、位置ａ、位置ｂおよび位置ｃで順に反射する。すなわち、コーナーキューブを構成する３面で順に反射して入射方向に戻る。しかし、ＭＣＣＡ１に対して垂直に位置ｄに入射した光は、位置ｄおよび位置ｅで反射した後、コーナーキューブの外に出射してしまう。従って、位置ｄに入射した光は、コーナーキューブを構成する３面のうち２面のみで反射されるため、再帰性反射されずに入射方向以外の方向へ出射する。逆に言うと、この出射方向から位置ｅに入射した光は、位置ｄで反射された後にＭＣＣＡ１に対して垂直な方向へ出射する。
【００１８】
上述してきたように、ＭＣＣＡに対して光を垂直に入射させる場合、コーナーキューブを構成する各面のうち所定の領域に光が入射すると再帰性反射光が得られる。図３（ａ）のコーナーキューブの場合、上記所定の領域は、上面図において底点を中心とする正六角形７’で表わされる。一方、コーナーキューブを構成する各面のうち上記所定の領域以外の領域に入射した光は、入射方向以外の方向へ出射する。これは、このような光の出射方向から入射した光がＭＣＣＡに対して垂直な方向へ出射することを意味する。そのため、このようなＭＣＣＡを用いた反射型表示装置によると、表示装置の正面から観察しても、黒表示において、表示に利用される外光の一部が観察者の目に届いてしまい、上述したような黒浮きや階調反転を引き起こしてしまう。
【００１９】
次に、ＭＣＣＡを構成する各コーナーキューブが、上面図上において、底点を対称中心とする点対称な形状で表わされる場合について説明する。例えば、図３（ｂ）または（ｃ）に示すコーナーキューブは、上面図上において、底点を対称中心とする点対称な形状（正六角形８または長方形９）で表わされる。また、図２（ａ）および（ｂ）を参照しながら説明したキュービックコーナーキューブアレイにおける各コーナーキューブも、上面図上において、底点を対称中心とする正六角形で表わされる。
【００２０】
このようなコーナーキューブから構成されるＭＣＣＡに対して垂直に入射する光は、コーナーキューブにおける入射位置にかかわらず、入射したコーナーキューブを構成する３面で反射されて入射方向に戻る。従って、表示装置の正面から観察すると、原理的には、黒浮きや階調反転などが生じないことになる。しかしながら、後で詳しく説明するように、このようなＭＣＣＡを用いた反射型表示装置であっても、ＭＣＣＡに対して垂直方向から傾けた方向から光を入射させると、入射光の一部は入射方向に戻らない。そのため、表示装置を観察する方向によっては、黒浮きや階調反転が生じてしまう。
【００２１】
さらに、ＭＣＣＡにおける各コーナーキューブの上面図上における形状にかかわらず、特に微細なピッチで配列されたＭＣＣＡでは、各コーナーキューブを高い面精度で形成することは極めて困難である。実際に形成される各コーナーキューブは、法線角度や平面性などに「ずれ」を有している。法線角度の「ずれ」とは、例えば、コーナーキューブを構成する各面の法線と仮想面との間の角度が理想的な角度からずれ、その結果、コーナーキューブを構成する３面間の角度が９０度からずれてしまうことである。また、平面性の「ずれ」とは、例えば、コーナーキューブを構成する各面が部分的または全体的に反ってしまうことや、コーナーキューブにおける頂点や底点が丸みを帯びてしまうことである。このような「ずれ」によってＭＣＣＡの再帰反射特性が低下するため、表示装置の正面から観察した場合であっても、黒浮きや階調反転が生じ得る。
【００２２】
このように、従来のＭＣＣＡを用いた反射型表示装置では、黒浮きや階調反転を抑えて優れた表示特性を得ることは困難であった。
【００２３】
本発明は、上記事情を鑑みてなされたものであり、その目的は、ＭＣＣＡ形状を有する再帰性反射層を備えた反射型表示装置において、黒浮きや階調反転を抑制して表示特性を向上させることにある。
【課題を解決するための手段】
【００２４】
本発明の反射型液晶表示装置は、ある仮想面に沿って２次元的に配列された複数の単位構造を有する再帰性反射層と、前記再帰性反射層の観察者側に配置され、光学特性の異なる第１状態と第２状態との間で状態が切り替えられ得る変調層とを備え、前記再帰性反射層からの反射光を利用して表示を行う反射型表示装置であって、前記再帰性反射層の各単位構造は、互いに直交する３面からなる凹部を有し、前記複数の単位構造はいずれも略同じ向きで配列されており、前記３面のうちの１面の法線方向の前記仮想面上における方位角方向と、前記仮想面における前記表示の下方向とのなす角度が３０度未満である。
【００２５】
前記角度は１０度以下であることが好ましい。
【００２６】
本発明の他の反射型液晶表示装置は、ある仮想面に沿って２次元的に配列された複数の単位構造を有する再帰性反射層と、前記再帰性反射層の観察者側に配置され、光学特性の異なる第１状態と第２状態との間で状態が切り替えられ得る変調層とを備え、前記再帰性反射層からの反射光を利用して表示を行う反射型表示装置であって、前記再帰性反射層の各単位構造は、互いに直交する３面からなる凹部を有し、前記複数の単位構造はいずれも略同じ向きで配列されており、前記仮想面に略垂直に入射する光のうち前記単位構造の２面のみで反射した光は、前記単位構造の形状で規定される複数の特定方向に出射し、前記特定方向のうちいずれかの前記仮想面上における方位角方向と、前記仮想面における前記表示の上方向とのなす角度が３０度未満である。
【００２７】
前記角度は１０度以下であることが好ましい。
【００２８】
ある好ましい実施形態において、前記単位構造における前記互いに直交する３面はいずれも正方形である。
【００２９】
前記変調層の観察者側に設けられた前面基板と、前記変調層の背面側に設けられ、前記前面基板と対向する背面基板と、前記前面基板および背面基板の間に設けられ、変調層に電圧を印加するための電圧印加手段とをさらに備え、前記再帰性反射層は、前記変調層および前記背面基板の間に設置されていてもよい。
【００３０】
前記変調層の観察者側に設けられた前面基板と、前記変調層の背面側に設けられ、前記前面基板と対向する背面基板と、前記前面基板および背面基板の間に設けられ、変調層に電圧を印加するための電圧印加手段とをさらに備え、前記再帰性反射層は、前記背面基板の背面側に設置されていてもよい。
【００３１】
前記再帰性反射層と前記背面基板との間に、屈折率が１．０６以上２．７以下の高屈折率層をさらに有し、前記再帰性反射層における前記単位構造の表面は前記高屈折率層と接していてもよい。
【００３２】
前記再帰性反射層と前記背面基板との間に、屈折率が１．０以上１．０６未満の低屈折率層をさらに有し、前記再帰性反射層における前記単位構造の表面は前記低屈折率層と接していてもよい。
【発明の効果】
【００３３】
本発明によると、再帰性反射層を備えた反射型表示装置において、黒浮きを抑制して表示のコントラストを向上させることができ、また、階調反転を抑制して視認性に優れた表示を実現できる。さらに、表示装置を観察する方向によらず、黒浮きや階調反転を低減できる。
【発明を実施するための最良の形態】
【００３４】
はじめに、再帰性反射層を備えた反射型表示装置における従来の問題点について、本発明者らが詳しく検討し、また種々の測定を行った結果を説明する。ここでは、ＭＣＣＡ外付け構造を有する反射型表示装置を例として説明する。
【００３５】
図４は、ＭＣＣＡ外付け構造を有する反射型表示装置の従来の構成を示す断面模式図である。表示装置１００は、表示パネル１５と、表示パネル１５の背面側に配置された再帰性反射層２とを備えている。
【００３６】
表示パネル１５は、カラーフィルタ（図示せず）、透明導電膜１４および配向膜１８が設けられた前面基板１０と、前面基板１０に対向するように配置された背面基板１２とを有している。これらの基板１０、１２の間には、散乱状態および透過状態を取り得る散乱型液晶層１が設けられている。背面基板１２における液晶層１の側の面には、スイッチング素子として機能するＴＦＴ（Ｔｈｉｎ  Ｆｉｌｍ  Ｔｒａｎｓｉｓｔｏｒ）（不図示）、画素電極１６および配向膜１８などが形成されている。表示パネル１５を構成する主な要素は、一般的に、略等しい屈折率（例えば１．５程度）を有する。
【００３７】
再帰性反射層２は背面基板１２の背面側に配置され、ＭＣＣＡ形状を規定する樹脂層２０と、樹脂層２０の上に形成された金属層２１とから構成されている。再帰性反射層２と背面基板１２との間は、例えば屈折率が１．００の空気などの気体２３で満たされている。
【００３８】
表示装置１００では、ＴＦＴや画素電極１６を用いて液晶層１に印加される電圧を制御することによって、液晶層１の散乱状態／透過状態間のスイッチングを行うことができる。
【００３９】
液晶層１が光を透過する状態に制御されているとき、表示装置１００の前面基板１０に入射する光２４は、表示パネル１５を透過して再帰性反射層２における金属層２１に達する。光２４は、表示パネル（屈折率：約１．５）と空気（屈折率：約１．００）との界面で図示するように屈折し、光２４が空気中から前面基板１０に入射する角度θAは、光２４が気体２３を通って金属層２１に入射する角度θBと略等しくなる。なお、入射角度θAおよびθBは、それぞれ、表示パネル１５の表面に垂直な方向と入射方向との角度（極角）、およびＭＣＣＡの仮想面に垂直な方向と入射方向との間の角度（極角）を指す。
【００４０】
従って、ＭＣＣＡ形状を有する金属層２１に入射する光の再帰反射特性を調べると、表示装置１００に入射する光の再帰反射特性が得られ、これにより、表示装置１００における黒特性を検討することができる。
【００４１】
そこで、まず、ＭＣＣＡ形状を有する金属層２１に入射する光の反射方向を図５（ａ）および（ｂ）を参照しながら説明する。ここでは、金属層２１として、互いに直交する略正方形の３面から構成されたキュービックコーナーキューブアレイを用いる。
【００４２】
金属層２１のＭＣＣＡ形状が高精度に形成されていれば、仮想面に対して垂直に入射した光２６は、図５（ｂ）に示すように、光２６が入射したコーナーキューブ（入射コーナーキューブ）を構成する３面で順に反射して、入射方向へ戻る再帰反射光となる。
【００４３】
一方、再帰性反射層に対して垂直方向から数度でも傾いて入射した光２８の一部は、図５（ｂ）に示すように、入射コーナーキューブを構成する３面のうち２面で順に反射するが、残りの面には入射せず、入射方向へ戻らない。このように、入射コーナーキューブを構成する２面のみで反射された光を「２回反射光」と呼ぶ。
【００４４】
なお、このような２回反射光は、ＭＣＣＡ形状の精度（法線角度や平面性）が低い場合には、仮想面に対して垂直方向に光を入射したときにも生じ得る。
【００４５】
本発明者らは、図６に示す光学系を用いてＭＣＣＡによる反射光の強度分布を測定し、２回反射光の出射する方向を調べたので、その方法および結果を説明する。
【００４６】
測定には、形状精度の低い、すなわちコーナーキューブにおける法線角度や平面性などに「ずれ」を有するキュービックコーナーキューブアレイ（配列ピッチ：１２μm）を用いる。具体的には、図６に示すように、そのようなキュービックコーナーキューブアレイからなる再帰性反射板３０に対して、光源３４からの光を垂直に入射させ、その反射光の出射方向（方位および極角）を天球面３２で測定する。
【００４７】
図７（ａ）は、上記測定によって得られた反射光の強度分布である。反射光の出射方向は、以下に説明するように、ＭＣＣＡの仮想面における方位角α、および仮想面の法線方向からの極角βによって表わすことができる。
【００４８】
方位角αは、図７（ｂ）に示すように、再帰性反射板３０の平面図において、隣接するコーナーキューブの底点間を最短距離で結ぶ方向の１つを基準（０度）として反時計回りに規定される。極角βは、反射光の出射方向と、再帰性反射板３０の法線方向（すなわち光源３４のある天頂方向）との間の角度であり、その大きさは、中心からの距離で表わされる。図７（ａ）では、βが３０、６０および８０度の場合を示すそれぞれの円が示されている。また、図７（ａ）の強度分布において、明度が低い（黒に近い）ほど反射強度が大きいことを示す。
【００４９】
図７（ａ）では、方位角αおよび極角βが（α＝０，β＝０）、（α＝３０，β＝７１）、（α＝１５０，β＝７１）および（α＝２７０，β＝７１）となる４ヶ所において明度がより低くなっており、これらの方向へより強い反射光が出射することがわかる。
【００５０】
このうち、再帰性反射板３０における天頂方向（α＝０、β＝０）に出射する強い反射光は、光源３４からの入射光が入射方向に反射した再帰反射光である。なお、図６に示す光学系を用いて天頂方向に出射する反射光強度を正確に測定することは困難であるため、ここで示す天頂方向（α＝０、β＝０）に出射する反射光の強度は測定装置によって補正された値である。
【００５１】
また、他の３方向に出射する強い反射光は、上述した２回反射光である。これらの２回反射光は、コーナーキューブの底点から頂点に向う方位（α＝３０、１５０、２７０）であって、極角βが約７１度となる方向にそれぞれ観察される。
【００５２】
この結果から、２回反射光は、図５（ｂ）に示すように、ＭＣＣＡの仮想面において、入射コーナーキューブの底点から、入射コーナーキューブのうちその２回反射光が入射しなかった面における頂点に向う方位角方向に出射することが確認できる。
【００５３】
図７（ａ）の測定結果は、仮想面に対して光を垂直に入射した場合の２回反射光の出射方向を示す一方で、これらの２回反射光の出射する方向（方位角α、極角β）から再帰性反射板３０に光を入射させると、入射光はコーナーキューブの２面のみで反射して再帰性反射板３０の法線方向に出射することを示唆している。つまり、表示パネルの正面から観察するときでも、上記２回反射光の出射する方向（以下、「２回反射方向」と呼ぶ）から再帰性反射板３０に入射する光が観察者の目に届き、これが黒表示時に明るく見える黒浮きや階調反転などの原因となり得ることがわかる。
【００５４】
続いて、図４に示すような構成を有する表示装置サンプルを作製し、図８に示す測定系を用いて反射率特性を測定した。
【００５５】
測定では、表示装置サンプル４０に対して光源４２からの光を入射させ、その反射光を受光器４４で受光する。受光器４４は、表示装置サンプル４０における表示パネルの法線方向（α＝０、β＝０）に反射する光を受光するように配置されている。また、光源４２は、光源４２からの光が、方位角αを一定とし、極角（入射角）βを２５度から８５度の範囲で変化させた方向から表示パネルに入射するように配置される。
【００５６】
反射率特性の測定結果を図９（ａ）および（ｂ）に示す。図９（ａ）は、光の入射方向の方位角αを、表示装置サンプル４０におけるコーナーキューブの底点から頂点へ向かう方位角と同じ（α＝３０、１５０または２７０）になるように設定した場合の測定結果である。なお、上記方位角は、図７（ａ）に示す２回反射光が観察される方向（２回反射方向）の方位角と同じである。図９（ｂ）は、光の入射方向の方位角αを、図９（ａ）における入射方向の方位角から６０度回転させた角度（α＝９０、２１０または３３０）に設定した場合の測定結果である。
【００５７】
図９（ａ）および（ｂ）からわかるように、白表示における反射率特性は表示装置サンプル４０における液晶層の特性によって決まるので、方位角αにかかわらず略一定であるが、黒表示における反射率特性は方位角αによって大きく変化する。
【００５８】
入射方向の方位角αが２回反射方向の方位角と等しい場合（図９（ａ））、入射方向の極角（入射角）βが小さいと黒表示における反射率は低いが、極角βを６０度付近まで増加させると急激に増加し、極角βが６０度以上では黒表示における反射率は白表示における反射率よりも高いか略等しくなってしまうことがわかる。よって、方位角αが３０、１５０または２７０度であり、かつ、極角βが大きい方向（表示パネルの垂直方向から大きく傾けた方向）から光を入射させ、表示パネルの正面から観察すると、「黒」が明るく表示される黒浮き、黒表示と白表示との明るさが逆転してしまう表示の反転、表示のコントラスト低下などを引き起こす。なお、図９（ａ）では、黒表示における反射率が最大となるときの入射方向の極角βは６０度付近であり、図７（ａ）に示す２回反射方向の極角β（約７１度）と一致していないが、これは、本測定における誤差と考えられる。一方、入射方向の方位角αが２回反射方向の方位角αと大きくずれている場合（図９（ｂ））、黒表示における反射率は、入射方向の極角βにかかわらず低く抑えられており、黒浮きなどの表示特性の低下は起こらない。
【００５９】
これらの結果から、表示パネルの正面で観察する場合、光の入射方向と２回反射方向とが一致していなければ、２回反射光に起因する黒浮きや階調反転が生じないことがわかる。従って、黒浮きや階調反転を抑制するためには、主な光源からの光の入射方向の方位角と、２回反射方向の方位角とを可能な限り一致させないように表示装置を構成することが望ましい。なお、表示に利用される光の主な光源の位置は、表示パネルに対する観察者の位置に応じて変化する。
【００６０】
本発明は、上記検討および測定によって得られた知見に基づき、表示装置における表示の方向、すなわち観察者の位置を考慮して、黒浮きや階調反転を低減させるものである。
【００６１】
（実施形態１）
以下、図面を参照しながら、本発明による表示装置の第１の実施形態を説明する。本実施形態の表示装置は、ＭＣＣＡ外付け構造を有し、表示パネルを構成する背面基板と再帰性反射層（ＭＣＣＡ）との間が、１．００程度の屈折率を有する気体で満たされている反射型表示装置である。
【００６２】
図１０（ａ）は、本実施形態の反射型表示装置の構成を示す断面模式図であり、図４に示す表示装置１００の断面模式図と実質的に同じである。簡単のために、実質的に同じ機能を有する構成要素は同じ参照符号で示し、その説明を省略する。図１０（ｂ）は、本実施形態における再帰反射層２の平面図である。
【００６３】
本実施形態における再帰性反射層２の表面は、図１０（ｂ）に示すように、互いに直交する略正方形の３面（ｆｘ面、ｆｙ面およびｆｚ面）から構成されたコーナーキューブを仮想面に沿って２次元的に配列したＭＣＣＡ形状を有している。再帰性反射層２におけるＭＣＣＡ形状は、コーナーキューブを構成する面の平面性や法線角度などに多少のずれがある。従って、再帰性反射層２に垂直に光を入射する場合、ＭＣＣＡ形状による反射光の強度は図７（ａ）に示すような分布を有している。
【００６４】
本実施形態では、再帰性反射層２は、上述した２回反射方向（ベクトル）の仮想面上における方位角方向と、仮想面上における表示の上方向（ベクトル）とのなす角度ωが３０度未満になるように配置されている。
【００６５】
本実施形態における再帰性反射層２の配置をより構造的に説明すると、次にようになる。再帰性反射層２がキュービックコーナーキューブアレイ形状を有する場合、コーナーキューブを構成する各面における法線方向（ベクトル）の仮想面上における方位角は、２回反射方向（底点から頂点に向うベクトル）の方位角のいずれかと１８０度の角度をなす。キュービックコーナーキューブアレイ形状以外のＭＣＣＡ形状を有する場合であっても、ＭＣＣＡの形状精度が高ければ、コーナーキューブを構成する面における法線方向の方位角とＭＣＣＡ形状による２回反射方向の方位角との間の角度は１８０度となる。従って、再帰性反射層２は、コーナーキューブを構成する３面のうち１面の法線方向（ベクトル）の仮想面上における方位角方向と、表示装置における表示の下方向（ベクトル）とのなす角度γが３０度未満になるように配置されていれば、上述した角度ωを３０度未満に抑えることができる。
【００６６】
本明細書における「表示の方向」、「角度ω」および「角度γ」について、以下に詳しく説明する。
【００６７】
図１１（ａ）および（ｂ）は、表示の方向を説明するための図である。図１１（ａ）に示すように、表示パネル１５に対して略垂直方向から表示を観察する場合、観察者から見て上方向（時計の１２時方向）５０が「表示の上方向」となり、下方向（時計の６時方向）５１が「表示の下方向」となる。また、図１１（ｂ）に示すように、表示パネル１５の法線方向に対して傾斜した方向から表示を観察する場合、観察者から見て手前から奥へ向う方向（時計の１２時方向）５２が「表示の上方向」となり、奥から手前に向う方向（時計の６時方向）５３が「表示の下方向」となる。
【００６８】
図１２（ａ）は、角度ωを説明するための図である。再帰性反射層２は、前述したように、仮想面５５に沿って配列されたコーナーキューブ（単位構造）５４を有している。コーナーキューブ５４から構成されるＭＣＣＡ形状において、２回反射方向６２の１つを仮想面５５に投射すると、２回反射方向６２の仮想面５５における方位角方向６４が得られる。また、図１１を参照しながら説明した表示の上方向を仮想面５５に投射すると、表示の上方向の仮想面５５における方位角方向６６が得られる。なお、表示装置では、再帰性反射層２の仮想面５５と表示パネル１５とは一般的に平行になるように配置されているため、方向６６は典型的には表示の上方向と同じである。このようにして得られる２回反射方向６２の方位角方向６４と、表示の上方向６６との間の角度を「角度ω」とする。図１２（ａ）では、コーナーキューブ５４としてキュービックコーナーキューブを例示しているため、２回反射方向は、コーナーキューブの底点から頂点に向う方向となる（図７（ａ）および（ｂ））が、２回反射方向はコーナーキューブ５４の形状によって規定されるため、図示する方向６２に限定されない。
【００６９】
図１２（ｂ）は、角度γを説明するための図であり、図１２（ａ）と同様に、仮想面５５に沿って配列されたコーナーキューブ（単位構造）５４を示している。コーナーキューブ５４を構成するある１面の法線方向（ベクトル）５９を仮想面５５に投射すると、法線方向５９の仮想面５５における方位角方向６０が得られる。また、表示の下方向を仮想面５５に投射すると、表示の下方向の仮想面５５における方位角方向５８が得られる。なお、表示装置では、再帰性反射層２の仮想面５５と表示パネル１５とは一般的に平行になるように配置されているため、方向５８は典型的には表示の下方向と同じである。このようにして得られる法線方向５９の方位角方向６０と、表示の下方向５８との間の角度を「角度γ」とする。
【００７０】
本実施形態における再帰性反射層２は上記のように配置されているため、観察者の上方向あるいは奥方向（すなわち表示の上方向）と、２回反射方向のうちの１方向とが略一致する。観察者の正面に表示装置を保持する場合、観察者の上側または奥側に位置する半天球から表示パネルに入射する光が主に表示に利用される。本実施形態では、３つの２回反射方向のうち１方向の方位角のみが、そのような半天球から入射する光の方位角と一致し得る。従って、３つの２回反射方向のうち２方向の方位角が上記半天球から入射する光の方位角と一致し得る場合と比べると、２回反射光による影響を１／２に低減できるので有利である。以下に、図面を参照しながら具体的に解説する。
【００７１】
図１３（ａ）は、電子ブックなどの表示装置における表示パネルの平面図であり、図１３（ｂ）は、図１３（ａ）の表示装置における再帰性反射層の配置状態を示す拡大平面図である。この表示装置では、図１３（ｂ）に示すように、２回反射方向のいずれか１つの方位角方向６９と表示の上方向とが略一致（ω＜３０またはγ＜３０）するように再帰性反射層が配置されている。この表示装置を拡散光源下で水平に置き、図１１（ｂ）に示すように表示パネル１５の法線方向に対して傾斜した方向から観察すると、観察者の上側の半天球から表示パネルに入射する光を主に利用した表示が観察される。ここで、２回反射方向のうち１方向のみが観察者の上側の半天球に存在し、残りの２方向は他の半天球に存在するため、２回反射方向から表示パネルに入射する光を低減できる。
【００７２】
また、観察者の上方に強い点光源が存在する環境下で、図１３（ａ）に示す表示装置を垂直方向から観察する場合でも、２回反射方向のうち２方向が観察者の上側に存在するように再帰性反射層が配置された表示装置と比べると、２回反射方向が点光源の方向に一致してしまう確率を１／２にできる。
【００７３】
２回反射光による影響をより確実に低減するためには、２回反射方向の仮想面上における方位角方向と仮想面上における表示の上方向とのなす角度ωは２５度以下であることが好ましい。また、コーナーキューブを構成する３面のうち１面の法線方向の仮想面上における方位角方向と表示の下方向とのなす角度γは２５度以下であることが好ましい。
【００７４】
さらに、表示パネルに入射する光のうち、観察者の上側または奥に位置する半天球から入射する光に加えて、その半天球よりさらに２０度観察者の下側または手前側に広がる方向から入射する光も主に表示に利用されるときには、角度ωが１０度以下、あるいは角度γが１０度以下であれば２回反射光による影響を大幅に低減でき、より優れた表示特性を実現できるので有利である。もっとも好ましくは、角度ωが実質的に０度、あるいは角度γが実質的に０度である。
【００７５】
このように、本実施形態は、ＭＣＣＡ形状による２回反射光を考慮して、再帰性反射層２と表示方向との配置関係を調整するものであり、製造工程を複雑化することなく表示特性を向上できるので有利である。前述したように、再帰性反射層を備えた表示装置について種々の構成が提案されているが、いずれも、上記配置関係に着目したものではない。また、本出願人による特開２００３−１９５７８８号公報には、開口率を向上させることを目的として、コーナーキューブの配列パターンと反射電極の配列パターンとを整合させる構成を開示しているが、コーナーキューブの配列パターンと表示方向との配置関係についての記載はない。
【００７６】
なお、再帰性反射層２における各単位構造（コーナーキューブ）の形状は、キュービックコーナーキューブに限定されず、互いに直交する三角形の３面からなるコーナーキューブであってもよいし、互いに直交する他の形状の３面からなるコーナーキューブであってもよい。また、再帰性反射層２におけるコーナーキューブ（単位構造）の配列ピッチも特に限定されないが、再帰性反射層として機能させるためには、人間の瞳の大きさ以下であることが好ましく、例えば５ｍｍ以下である。
【００７７】
ただし、本実施形態における再帰性反射層２では、複数の単位構造がいずれも略同じ向きで配列されている必要がある。略同じ向きで配列されていれば、それらの単位構造による２回反射方向が一致するので、再帰性反射層全体としての２回反射方向は、互いに１２０度の角度をなす３方向に特定される。このような再帰性反射層を、角度ωまたは角度γが３０度未満となるように配置すると、上述したように２回反射光の影響を低減することができる。略同じ向きで配列された単位構造を有する再帰性反射層としては、キュービックコーナーキューブアレイの他、図３（ｂ）および（ｃ）に示すようなコーナーキューブアレイなどを用いることができる。
【００７８】
本実施形態における再帰性反射層は、平面性や法線角度などに多少のずれを有する面から構成されたＭＣＣＡを有するが、代わりに、形状精度に優れたＭＣＣＡを有していてもよく、その場合でも2回反射光による表示特性の低下を抑制できる。
【００７９】
以下、図面を参照しながら、ＭＣＣＡが高精度で形成された場合における２回反射光について詳しく述べる。図１４（ａ）は、ＭＣＣＡ形状を有する再帰性反射層の平面図であり、図１４（ｂ）は、図１４（ａ）に示す再帰性反射層を、方位角αが３０度のＩ−Ｉ’線を含み、かつ仮想面に垂直な面で切り取った断面図である。なお、Ｉ−Ｉ’線の方位角αは１５０度または２７０度であってもよい。
【００８０】
再帰性反射層の表面７０が形状精度に優れ、例えば理想的なＭＣＣＡ形状を有していると、再帰性反射層に対して垂直に入射する光７２は、表面７０の３面で反射されて入射方向に戻される。従って、特定の方向から入射した光７６が表面７０によって反射され、再帰性反射層に対して垂直に出射することは原理的にあり得ない。例えば方位角αが３０度であり、かつ極角βが７１度である方向から光７６を入射しても、表示パネルの正面に位置する観察者の目には届かない。
【００８１】
しかしながら、再帰性反射層に対する垂直方向から角度ｄ（角度ｄ：例えば２〜３度）だけ傾けた方向から、コーナーキューブの稜線近傍に入射する光７４の一部は、２面のみで反射して入射方向と異なる方向へ出射してしまう。光７４の入射方向の方位角αが３０度、１５０度または２７０度のときは光の出射方向の方位角αは光７４の入射方向の方位角αと等しいが、出射方向の極角βは、上述の２回反射方向の極角（例えば７１度）よりも角度ｄだけパネル正面側にずれた角度（β＝７１−ｄ）となる。よって、再帰性反射層に対して垂直方向から傾けて光７４を入射させ、図７（ａ）に示すような反射光の強度分布を測定すると、光の入射方向の方位角αが３０度、１５０度または２７０度のときは、２回反射光が観察される方向の方位角αは光の入射方向の方位角αと等しく、かつ、極角βは７１度よりも小さくなる。
【００８２】
このことから、光７４の２回反射光が出射する方向（例えばα＝３０、β＝７１−ｄ）から入射する光７８は、表示パネルの正面から角度ｄだけ傾いた方向から出射することがわかる。従って、表示パネルの正面から角度ｄだけ傾いた方向（例えばα＝３０、β＝ｄ）から観察すると、特定の方向（例えばα＝３０、β＝７１−ｄ）から入射した光７８の２回反射光が目に届き、黒表示が明るく見える黒浮きなどの要因となり得る。
【００８３】
なお、光７４の入射方向の方位角αが３０度、１５０度または２７０度の場合には、上述したように、２回反射光が観察される方向の極角βは（７１−ｄ）度となるが、入射方向の方位角αが上記以外の角度、例えば３０、１５０または２７０度からｘ度（ｘ：例えば±６０度以下）ずれた角度であれば、２回反射光が観察される方向の極角βは、（７１−ｄ）度からｙ度大きくなる方向にずれる（β＝（７１＋ｙ）−ｄ）。ここで、角度ｙの大きさは、上記角度ｘに応じて決まり、典型的には角度ｘの絶対値が大きいほど大きくなる。よって、表示パネルの正面から角度ｄだけ傾いた方向（例えばα＝３０＋ｘ、β＝ｄ）から観察すると、特定の方向（例えばβ＝（７１＋ｙ）−ｄ）から入射した光の２回反射光が目に届くことになる。
【００８４】
本実施形態における再帰性反射層２は、２回反射方向の方位角方向のうちの１つが表示の上方向と略一致するように配置されている。従って、再帰性反射層２が理想的なＭＣＣＡ形状を有する場合であっても、表示に利用される光のうち２回反射方向から入射する光の割合を低減できるので、表示パネルを斜めから観察するときに生じ得る２回反射光による表示特性の低下を抑制できる。特に、表示パネルに対して垂直方向から、表示の右方向や左方向に数度傾けて観察したときに、２回反射光の影響を低減できるので有利である。
【００８５】
ここで、再帰性反射層２が理想的なＭＣＣＡ形状あるいは理想的なＭＣＣＡ形状に近い形状を有していると、図６を参照しながら説明した方法によって反射光強度の測定を行っても、そのＭＣＣＡ形状による２回反射方向を特定できないおそれがある。図６に示す光学系において、光源３４からの光が完全な平行光でなければ２回反射光は生じるが、光源３４からの光が平行光に近いと、再帰性反射層２に対して垂直に入射する光のうち再帰性反射される光の割合が高くなるので、２回反射光の強度が小さくなり、その結果、２回反射方向の特定が困難になるからである。このような場合、図６に示す光学系を用いて、光源３４からの光を、再帰性反射層２に対して垂直に１度以上のコーン角で入射させると、２回反射光が生じやすくなるので、図７（ａ）に示すような反射光の強度分布が得られる。得られた反射光の強度分布から２回反射方向を特定することが可能になる。本明細書において、仮想面に対して垂直に入射した光が２面で反射して出射する方向である「２回反射方向」は、仮想面に対して垂直に上記コーン角で入射する光が２面で反射して出射する方向を含むものとする。
【００８６】
このように、本実施形態における再帰性反射層２は、例えば本出願人による特願２００３−３６６１５７号に記載されているような方法によって形成された高精度なＭＣＣＡ形状を有していても良いし、公知の方法によって形成され、面精度などに多少のずれを有するＭＣＣＡ形状を有していてもよい。いずれの場合でも、本発明を適用することによって、２回反射光による影響が低減されるので表示特性を向上できる。なお、再帰性反射層２における再帰反射率は、形成方法や形状精度によって変わるが、５０％以上であればより優れた表示特性が得られるので好ましい。
【００８７】
本実施形態では、再帰性反射層２と背面基板１２との間は、空気と略同等の屈折率を有する気体２３で満たされているが、本実施形態の構成はこれに限定されない。上述したように、表示パネルに対する光の入射角度θAと、再帰性反射層２におけるＭＣＣＡに対する光の入射角度θBとが略等しくなればよく、ＭＣＣＡの表面が、例えば1以上１．０６未満の屈折率を有する気体、液体あるいは固体からなる層（低屈折率層）と接してればよい。
【００８８】
（実施形態２）
以下、図面を参照しながら、本発明による表示装置の第２の実施形態を説明する。本実施形態の表示装置は、ＭＣＣＡ外付け構造を有する反射型表示装置である。
【００８９】
図１５は、本実施形態の反射型表示装置の構成を示す断面模式図であり、図１０（ａ）を参照しながら説明した実施形態１の表示装置と同様の構成を有している。ただし、表示パネルを構成する背面基板１２と再帰性反射層２との間に、１．０６以上の屈折率を有する液体あるいは固体８３で満たされている点で、実施形態１の構成と異なっている。ここでは、液体あるいは固体として、屈折率が１．５である樹脂８３を用いる。また、本実施形態における再帰性反射層２のＭＣＣＡ形状は、図示しないが、図１０（ｂ）を参照しながら説明したように配置されている。なお、簡単のために、実質的に同じ機能を有する構成要素は図１０（ａ）と同じ参照符号で示し、その説明を省略している。
【００９０】
本実施形態では、黒表示状態のとき、前面基板１０に入射する光８０は、表示パネルを通過して再帰性反射層２の表面におけるＭＣＣＡ形状で再帰性反射され、再び表示パネルを通過して入射方向に戻される。ここで、光８０は空気中から前面基板１０に入射する際に屈折し、屈折率が１．５程度の材料から構成された表示パネルを通過し、さらに樹脂８３を通過して再帰性反射層２に到達する。従って、光８０が樹脂８３を通って金属層２１に入射する角度（極角）θBは、光８０が空気中から前面基板１０に入射する角度θAよりも小さくなる。
【００９１】
以下、本実施形態の反射型表示装置における２回反射光の影響について詳述する。図１６（ａ）および（ｂ）は、本実施形態の反射型表示装置を示し、仮想面に垂直な面のうち２回反射方向を含む面に平行な断面図である。
【００９２】
まず、図１６（ａ）を参照しながら、反射型表示装置を表示パネルの正面から観察する場合を考える。ＭＣＣＡ形状における２回反射方向（例えばα＝３０、β＝７１）から再帰性反射層２に光を入射させようとすると（光８７）、極角（θA＞９０）を有する方向から表示パネルに光を入射させる必要がある。しかしながら、そのような方向からの光は存在しない。また、２回反射方向と同じ方向から前面基板１０に光を入射させても（例えばα＝３０、θA＝７１）、屈折により、再帰性反射層２に入射する光８８の入射角度θBは２回反射方向の極角よりも小さくなるので（θB＜７１）、表示パネルの法線方向に出射することはない。
【００９３】
このように、屈折率が１．０６以上の固体（例えば樹脂）または液体（例えばグリセリン）を再帰性反射層２の表面に接するように配置させると、再帰性反射層２におけるＭＣＣＡ形状で規定される２回反射方向から再帰性反射層２に入射する光を低減できるので、表示パネルの正面で観察するときの黒浮きを抑制できる。
【００９４】
具体的に説明すると、再帰性反射層２と背面基板１２との間に、屈折率が１．０６程度である液体または固体を満たした場合、表示パネルの法線方向に出射する２回反射光は従来よりも低減され、再帰性反射層２の配置による効果よりも高い効果が得られる。ただし、表示パネルおよびＭＣＣＡによる若干の散乱があるため、表示パネルの法線方向に出射する２回反射光を完全になくすことはできない。これに対し、再帰性反射層２と背面基板１２との間に、屈折率が１．４７であるグリセリンを満たした場合、表示パネルの法線方向に出射する２回反射光が観察されず、表示パネル正面に位置する観察者に、２回反射光による黒浮きの存在しない表示を提供できる。
【００９５】
同様に、図１６（ａ）を参照しながら、表示パネルに垂直な方向から入射する光８９について説明する。光８９は、再帰性反射層２に対して略垂直に入射し、その一部は２回反射方向に反射する。しかし、この２回反射光は、表示パネル１５と空気との界面における屈折率差によって観察者側には出射しないので、表示特性に影響しない。
【００９６】
次に、図１６（ｂ）を参照しながら、反射型表示装置を表示パネルの斜めから観察する場合を考える。観察方向の方位角αは、２回反射方向の方位角と同じ（α＝３０、１５０または２７０）とする。
【００９７】
観察方向の方位角方向と同じ方位角方向から表示パネル１５に入射する光９１が、２回反射方向の極角（例えばβ＝７１）よりも角度ｄだけ小さい角度θB（θB＝７１−ｄ）で再帰性反射層２に入射すると、図示するように、その２回反射光は、再帰性反射層２の法線方向から角度ｄだけ傾いた方向へ反射され、表示パネル１５の法線方向から角度ｄ’（ｄ’＞ｄ）だけ傾いた方向へ出射される。従って、２回反射光は、表示パネル１５の法線方向から特定の方位角方向に角度ｄ’だけ傾いた方向に位置する観察者の目に届き、黒浮きなどの表示特性の低下を引き起こす。
【００９８】
再帰性反射層２の表面に接するように配置された固体あるいは液体８３の屈折率および表示パネル内部の屈折率をいずれも１．５とし、再帰性反射層２におけるＭＣＣＡの形状精度が高い場合を例に説明すると、角度ｄが２８．７度未満となるような光は表示パネル内部に入射しない。従って、この例では、観察者の目に届き得る２回反射光の角度ｄは２８．７度以上、角度ｄ’は４６度以上である。このことから、表示パネル１５の法線方向から２回反射方向の方位角方向に例えば４６度以上傾けた方向（α＝３０、１５０または２７０、かつ、β≧４６）から観察すると、黒浮きなどの現象が生じることがわかる。
【００９９】
ここで、本実施形態における再帰性反射層２は、２回反射方向の方位角方向のうちの１つが表示の上方向と略一致するように配置している（角度ω＜３０°）。よって、表示パネル１５の法線方向から所定の角度（上記例では４６度）以上傾けて観察したときの２回反射光の影響を低減することができるので、黒浮きなどの表示特性の低下を抑制できる。上記所定の角度は、反射型表示装置の各部材における屈折率やＭＣＣＡの形状精度によって変わる。
【０１００】
本実施形態では、再帰性反射層２と背面基板１２との間は、屈折率が１．０６以上の液体または固体８３で満たされているが、本実施形態の構成はこれに限定されず、ＭＣＣＡの表面が、例えば１．０６以上の屈折率を有する層（高屈折率層）と接してればよい。高屈折率層の屈折率が高いと、再帰性反射板に入射する光の入射角が小さくなるので、再帰反射率を向上でき、より良好な黒表示が得られるメリットがある。一般的に有機物より高い屈折率を有する無機物（例えば、屈折率が２．７であるＴｉＯ2）を用いて高屈折率層を形成してもよい。しかしながら、ＴｉＯ2よりも大きな屈折率を有するＳｂ2Ｓ3（屈折率：３．０）などの無機物では、可視光波長域における透明性が低いので、そのような無機物からなる高屈折率層を用いると、表示特性が大幅に低下するという問題がある。従って、無機物を用いて高屈折率層を形成する場合などには、高屈折率層の屈折率が２．７以下であることが好ましい。
【０１０１】
（実施形態３）
以下、図面を参照しながら、本発明による表示装置の第３の実施形態を説明する。本実施形態の表示装置は、ＭＣＣＡ内付け構造を有する反射型表示装置である。
【０１０２】
図１７は、本実施形態の反射型表示装置の構成を示す断面模式図である。本実施形態の表示装置は、カラーフィルタ１２０、透明電極１１４および配向膜１１８が設けられた前面基板１１０と、前面基板１１０に対向するように配置された背面基板１１２と、これらの基板１１０、１１２の間に設けられた液晶層１０１とを備えている。背面基板１１２は、複数のスイッチング素子（ＴＦＴ）１２４と、スイッチング素子１２４の上に設けられ、ＭＣＣＡ形状を有する絶縁層１２６と、複数の反射電極１２２と、配向層１１８とを有している。反射電極１２２は、絶縁層１２６の上に形成され、絶縁層１２６の表面形状を反映したＭＣＣＡ形状を有している。複数の反射電極１２２は、画像表示の一単位となる画素毎に互いに離間して配置されており、それぞれ、絶縁層１２６に形成されたコンタクトホールを介して対応するスイッチング素子１２４のドレイン電極に接続されている。配向層１１８は、絶縁層１２６および反射電極１２２の上に形成されており、絶縁層１２６の表面形状を反映した凹凸を有している。また、液晶層１０１は、前述の実施形態における液晶層と同様に、光を透過する透過状態と光を散乱する散乱状態との間でスイッチングできる散乱型液晶である。
【０１０３】
本実施形態における複数の反射電極１２２は、画素電極としての機能および再帰性反射層としての機能を発揮する。反射電極１２２におけるＭＣＣＡ形状は、図１０（ｂ）を参照しながら説明したように配置されている。すなわち、コーナーキューブを構成する３面のうち１面の法線方向の仮想面上における方位角方向と、表示装置における表示の下方向とのなす角度γが３０度未満になるように、あるいは、ＭＣＣＡ形状によって規定される２回反射方向の方位角方向と表示の上方向とのなす角度ωが３０度未満になるように配置されている。
【０１０４】
本実施形態では、前面基板１１０に入射した光１２８は、略均一な屈折率（例えば１．５）を有する表示パネル内部を通過して反射電極１２２に達する。このとき、実施形態２と同様に、反射電極１２２に入射する角度（極角）θBは、前面基板１１０に入射する光の角度（極角）θAよりも小さくなる（θB＜θA）。
【０１０５】
本実施形態において、空気中（屈折率：１．００）から前面基板１１０に向かう光の振るまいは、図１６（ａ）および（ｂ）を参照しながら説明した実施形態２における光の振るまいと同様である。従って、表示パネルの正面から観察する場合、表示パネル内部と空気中との屈折率差によって反射電極１２２に対する光の入射角度θBが制限されるので、２回反射光による表示特性の低下はほとんど生じない。また、表示パネルの法線方向から所定の角度（例えば４６度以上）傾けて観察する場合、反射電極１２２におけるＭＣＣＡ形状の配置によって、２回反射光による影響を低減できるので、黒浮きや階調反転を抑制できる。
【０１０６】
本実施形態の反射型表示装置は、図１７に示す構成の代わりに、図１８に示すような構成を有していてもよい。
【０１０７】
図１８に示す反射型表示装置では、背面基板１１２における複数のスイッチング素子１２４の上には、ＭＣＣＡ形状を有する絶縁層１２６、絶縁層１２６の上に形成された再帰性反射層１０２、平坦化樹脂層１２３、複数の透明画素電極１２１、および配向層１１８がこの順で形成されている点で、図１６に示す構成と異なっている。再帰性反射層１０２は、絶縁層１２６の表面形状を反映してＭＣＣＡ形状を有している。再帰性反射層１０２の表面形状は、平坦化樹脂層１２３によって平坦化されるため、画素電極１２１および配向層１１８は略平坦な表面を有している。各画素電極１２１は、それぞれ、絶縁層１２６および平坦化樹脂層１２３に形成されたコンタクトホールを介して対応するスイッチング素子１２４のドレイン電極と接続されている。
【０１０８】
上記構成を有する場合、前面基板１１０から入射した光１２９は、略均一な屈折率（例えば１．５）を有する表示パネル内部を通過して再帰性反射層１０２に達する。このとき、図１７に示す構成を有する場合と同様に、再帰性反射層１０２に入射する角度（極角）θBは、前面基板１１０に入射する角度（極角）θAよりも小さくなる（θB＜θA）。従って、空気中（屈折率：１．００）から前面基板１１０に向かう光の振るまいは、図１６（ａ）および（ｂ）を参照しながら説明した実施形態２における光の振るまいと同様となり、図１７に示す構成を有する場合と同様の効果が得られる。
【０１０９】
本実施形態の反射型表示装置の構成は図１７や図１８に示す構成に限定されない。本実施形態の反射型表示装置は、表示パネルにおける液晶層と背面基板との間に、ＭＣＣＡ形状を有し、再帰性反射層として機能する層を備えていればよい。再帰性反射層として機能する層の表面と接する層（図１７の構成では配向層１１８、図１８の構成では平坦化樹脂層１２３）の屈折率は１．０６以上で２．７以下であり、典型的には、表示パネルを構成する他の要素（液晶層や基板）と同程度の屈折率を有する。
【産業上の利用可能性】
【０１１０】
本発明によれば、再帰性反射層を備えた反射型表示装置において、特定方向から再帰性反射層に入射する光による黒浮きや階調反転などの表示特性の低下を抑制でき、コントラストの高い、あるいは視認性に優れた表示を実現できる。また、再帰性反射層におけるＭＣＣＡ形状の精度にかかわらず、表示特性を向上できるので有利である。
【０１１１】
本発明は、表示パネルの内部に再帰性反射層を備えた反射型表示装置にも、表示パネルの背面側に再帰反射層を設置した反射型表示装置にも好適に適用できる。
【図面の簡単な説明】
【０１１２】
【図１】（ａ）および（ｂ）は、散乱型液晶表示モードと再帰性反射板とを組み合わせた反射型液晶表示装置の動作原理を説明する図である。
【図２】（ａ）および（ｂ）は、それぞれコーナーキューブアレイの平面図および斜視図である。
【図３】図３（ａ）〜（ｃ）は、それぞれ、互いに異なる形状を有するＭＣＣＡ１〜３における単位構造（コーナーキューブ）を説明するための上面図である。
【図４】表示パネルの背面側に再帰性反射板を備えた表示装置の従来の構成を示す断面模式図である。
【図５】（ａ）および（ｂ）は、それぞれ、ＭＣＣＡに入射する光の反射方向を説明するための斜視図および平面図である。
【図６】ＭＣＣＡによる反射光の強度分布を測定するシステムを示す略図である。
【図７】（ａ）は、ＭＣＣＡによる反射光強度分布の測定結果を示す図であり、（ｂ）は、ＭＣＣＡにおける方位角を説明するための平面図である。
【図８】表示装置の反射率特性を測定するシステムを示す略図である。
【図９】（ａ）は、２回反射方向の方位角方向から光を入射したときの表示装置の反射率特性を示すグラフであり、（ｂ）は、２回反射方向の方位角方向から６０度ずらした方向から光を入射したときの表示装置の反射率特性を示すグラフである。
【図１０】（ａ）は、本発明による実施形態１の反射型表示装置の構成を示す断面模式図であり、（ｂ）は、（ａ）の反射型表示装置における再帰性反射層の配置を説明するための平面図である。
【図１１】（ａ）および（ｂ）は、それぞれ、表示装置における表示方向を説明するための図である。
【図１２】（ａ）は、２回反射方向の仮想面上における方位角方向と表示の上方向とのなす角度ωを説明するための図であり、（ｂ）は、コーナーキューブを構成する３面のうち１面の法線方向の仮想面上における方位角方向と表示の下方向とのなす角度γを説明するための図である。
【図１３】（ａ）および（ｂ）は、実施形態１における再帰性反射層の配置を例示するための図である。
【図１４】（ａ）および（ｂ）は、形状精度の高いＭＣＣＡにおける２回反射光を説明するための図であり、（ａ）は再帰性反射層の平面図、（ｂ）は再帰性反射層のＩ−Ｉ’断面図である。
【図１５】本発明による実施形態２の反射型表示装置の構成を示す断面模式図である。
【図１６】（ａ）および（ｂ）は、実施形態２の反射型表示装置における２回反射光の影響を説明するための断面図である。
【図１７】本発明による実施形態３の反射型表示装置の構成を示す断面模式図である。
【図１８】本発明による実施形態３の反射型表示装置の他の構成を示す断面模式図である。
【符号の説明】
【０１１３】
１        液晶層
２        再帰性反射層
１０      前面基板
１２      背面基板
１４      透明導電膜
１５      表示パネル
１６      画素電極
１８      配向膜
２０      樹脂層
２１      金属層
２３      気体
【図１】
2006227282.tif 000003
【図２】
2006227282.tif 000004
【図３】
2006227282.tif 000005
【図４】
2006227282.tif 000006
【図５】
2006227282.tif 000007
【図６】
2006227282.tif 000008
【図７】
2006227282.tif 000009
【図８】
2006227282.tif 000010
【図９】
2006227282.tif 000011
【図１０】
2006227282.tif 000012
【図１１】
2006227282.tif 000013
【図１２】
2006227282.tif 000014
【図１３】
2006227282.tif 000015
【図１４】
2006227282.tif 000016
【図１５】
2006227282.tif 000017
【図１６】
2006227282.tif 000018
【図１７】
2006227282.tif 000019
【図１８】
2006227282.tif 000020